(57)【要約】【課題】貯留した排泄物を適宜排出して繰り返し使用が出来るようにした人口肛門用パウチにおいて，生活活動中にパウチから貯留した排泄物がもれることがないようにすると共に，貯留した排泄物の排出を簡便かつ迅速に行えるようにする。【解決手段】ポリエチレンフィルム等から成るパウチの下部の開口部に適宜の口径の筒状体を取付け，この筒状体の外周に螺子を形成し，内面に筒状体外周の螺子に対応する螺子を形成した栓体を筒状体に螺合する。【選択図】  図１
2004187866.tif 000002
【特許請求の範囲】
【請求項１】
ポリエチレンフィルム等から成るパウチの下部の開口部に適宜の口径の筒状体を取付け，この筒状体の外周に螺子を形成し，内面に筒状体外周の螺子に対応する螺子を形成した栓体を筒状体に螺合したことを特徴とする人口肛門用パウチ。
【請求項２】
筒状体と栓体が硬質のプラスチック製であって，筒状体は開口部に固着されており，栓体には密閉効果を高めるためのパッキンが内装されていることを特徴とする請求項１に記載の人口肛門用パウチ。
【発明の詳細な説明】
【０００１】
【発明の属する技術分野】
本発明は，人口肛門に取り付けて排泄物を貯留する人口肛門用パウチに関するものである。
【０００２】
【従来の技術】
従来より，種々の形態の人口肛門用パウチが提供されているが，貯留した排泄物を適宜排出して数日間使用が出来るようにしたものとして，後記する特許文献１及び特許文献２に記載のようなパウチの下部に排出用開口部を設けたものが知られている。
【０００３】
この種のパウチにおいては，数日間使用する際の，貯留した排泄物の排出の簡便性と迅速性に配慮して，後記する特許文献１及び特許文献２に記載のように，パウチ下部の排出用開口部を幅広に形成してあるのが通常である。
【０００４】
そして，この種のパウチにおいては，貯留した排泄物が生活活動中にもれないようにするため，パウチ下部の排出用開口部を普段は閉鎖しておく必要があり，このため，閉塞具が使用される。最も一般的に使用されている閉塞具は，図２に示した通り，全体がプラスチック製であって，上側端部にパウチのずれ防止用の突起２０を備えた板条部２１と，板条部２１を収納し得る深さを有する断面ほぼＵ字条に形成されていて板条部２１の下端縁が係合する突条２２を備えたカバー部２３とを折り曲げ可能に一連に形成して成るものである。
【０００５】
この閉塞具は，ポリエチレンフィルム等の表面シートと裏面シートから成るパウチ下部の開口部の末端付近を板条部２１に引っ掛け，カバー部２３を折り曲げ，カバー部２３を板条部２１にかぶせてカバー部２３の突条２２に板条部２１の下端縁を係合させることにより，パウチの表面シートと裏面シートを強く圧迫してパウチ下部の開口部を閉塞するものである。
【０００６】
ところが，この閉塞具は単にプラスチックの弾性を利用してパウチ下部の開口部を閉塞しているに過ぎないものであり，また，パウチ同様消耗品として作られているために，信頼性が乏しく，この閉塞具を使用してパウチを例えば３回繰り返し使用すると，生活活動中にパウチが強く圧迫されたりした場合にパウチから閉塞具が外れてしまったりする等，閉塞不全をおこし，パウチに貯留した排泄物がもれることがあった。
【０００７】
【特許文献１】
特開２００２−１１３０２７号公報（００１２及び図３）
【０００８】
【特許文献２】
特開２０００−３１６８９２号公報（００１１及び図３）
【０００９】
【発明が解決しようとする課題】
そこで，本発明は，貯留した排泄物を適宜排出して数日間の使用が出来るようにした人口肛門用パウチにおいて，生活活動中にパウチから貯留した排泄物がもれることがないようにすると共に，貯留した排泄物の排出を簡便かつ迅速に行えるようにすることを目的とするものである。
【００１０】
【課題を解決するための手段】
上記の目的を達成するための本発明の構成は，ポリエチレンフィルム等から成るパウチの下部の開口部に適宜の口径の筒状体を取付け，この筒状体の外周に螺子を形成し，内面に筒状体外周の螺子に対応する螺子を形成した栓体を筒状体に螺合したことを特徴とするものである。
【００１１】
また，本発明は，上記の筒状体と栓体を硬質プラスチック製とし，筒状体をパウチの下部の開口部に熱溶着すると共に，栓体に密閉効果を高めるためのパッキンを内装することもできる。
【００１２】
【発明の実施の形態】
以下、  図１を参照して，本発明の実施の一形態を説明する。
【００１３】
図例は，人口肛門用パウチ本体１を，ほぼ長円形に形成したポリエチレンフィルム等から成る表面シート２，裏面シート３，メッシュシート４を順に重ね合わせ，下方に延長形成した開口部５を除いて縁部を熱溶着して形成している。
【００１４】
人口肛門用パウチ本体１の下方に延長形成された開口部５には，硬質プラスチック製で適宜の口径の硬質の筒状体６を熱溶着して固着してある。この筒状体６の外周には螺子７を形成してあり，内面に前記筒状体６外周の螺子７に対応する溝８を形成した前記筒状体６と同様の硬質プラスチック製の栓体９を前記筒状体６に螺合してある。
【００１５】筒状体６の口径（内径）は，貯留した排泄物の排出の簡便性と迅速性を考慮して，２〜３ｃｍとすることが好ましい。また，筒状体６と栓体９の螺合が緩まない
ように，また，密閉効果を高めるために，栓体９にパッキン（図示せず）を内装することが望ましい。
【００１６】
人口肛門用パウチ本体１の表面中央には，図示しない人口肛門への装着部１０が取り付けられている。この装着部１０は，中心に人口肛門への取付口１１を備えた円形板１２と，この円形板１２よりも大径に裁断した円形メッシュシート１３から成り，円形板１２と円形メッシュシート１３の表面には人体に装着するために粘着剤が塗布されている。粘着剤は，未使用時には剥離紙等により保護されている。そして，パウチは，一度人体に装着したものを取り外すと，再使用できないものとなっているのが通常である。
【００１７】
尚，本発明の実施に際しては，筒状体６の人口肛門用パウチ本体１の開口部５への取付け方法としては，図例のような熱溶着による固着だけでなく，取付け部分から排泄物がもれない方法であれば任意の方法を採択できることはいうまなもない。
【００１８】
上記した人口肛門用パウチを人口肛門に取付けて使用すると，人口肛門から取付口１１を介してパウチ内に排泄物が流入して貯留される。貯留される排泄物の量は，体調や摂取飲食物の量等により日々変動する。しかし，貯留された排泄物が多くても，かつ，身体を激しく動かしたり身体を横にしてパウチを強く圧迫しても，開口部５を閉塞している栓体９は，筒状体６にしっかりと螺合しているので，生活活動中にパウチ内の排泄物がもれるおそれはない。
【００１９】
そして，パウチを人体に装着した状態のままで，栓体９を回して筒状体６から外せば，パウチに貯留された排泄物を容易に，かつ，迅速に排出することが出来る。
【００２０】
しかも，上記した人口肛門用パウチにおいては，貯留した排泄物の排出を繰り返しても，従って，開口部５の閉塞と開放とを繰り返しても，閉塞の確実性は全く変わらず，このため，例えば，１日に５〜６回，貯留された排泄物の排出を行って，３日に１度パウチを交換するといった使用も可能であり，すこぶる経済的である。
【００２１】
さらに，上記した人口肛門用パウチにおいては，筒状体６を上向きにして栓体９を少しゆるめることにより，パウチ内のガスを簡単に排出することが出来るのである。
【００２２】
【発明の効果】
以上に説明した通り、本発明の人口肛門用パウチによれば，生活活動中に貯留した排泄物がもれるおそれがなく，安心して使用できるだけでなく，貯留した排泄物の排出を簡便かつ迅速に行うことができるのであり，安心して数日間にわたり使用することが出来る。そして，パウチ内のガスを簡単に排出することが出来るのである。
【００２３】
しかも，本発明の人口肛門用パウチは，構造が簡単であり，製造も容易であって，低廉な価格で提供することが出来る等の優れた効果が期待できる。
【図面の簡単な説明】
【図１】本発明の一実施例の一部を切り欠いた正面図
【図２】従来のパウチの閉塞具の一部を切り欠いた正面図
【符号の説明】
１        人口肛門用パウチ本体
２        表面シート
３        裏面シート
４        メッシュシート
５        開口部
６        筒状体
７        螺子
８        溝
９        栓体
１０        装着部
１１        取付口
１２        円形板
１３        円形メッシュシート
２０        突起
２１        板条部
２２        突条
２３        カバー部
【図１】
2004187866.tif 000003
【図２】
2004187866.tif 000004